(57)【特許請求の範囲】
【請求項１】
内部にそれぞれ鍵を収納するための複数の鍵保管部と、各鍵保管部にそれぞれスイッチを設けた鍵保管箱と、
前記鍵保管箱に接続され、鍵保管箱の各鍵保管部に設けられた複数のスイッチの情報に基づいて鍵の有無を判定する制御装置を備えることを特徴とする鍵管理システムにおいて、
前記鍵保管部に設けたスイッチは、個別に収納位置情報を持つことなくＯＮ／ＯＦＦ接点のみを有し、
前記制御装置は、各鍵保管部において同一構造のスイッチから構成し、前記制御装置は、各鍵保管部からのスイッチのＯＮ／ＯＦＦ情報により各鍵保管部における鍵の有無を判別し、
前記各鍵保管部には板状の部材からなり前記鍵を引っ掛けることで係止する係止部と、そこに保管する鍵のいずれか一方に突起部を設け、他方に開口部を設け、
前記突起部と前記開口部の形状が一致した場合に、前記係止部に前記鍵を保管することを特徴とする鍵管理システム。
【請求項２】
前記係止部には、前記突起部と前記開口部とが正確に係合する方向にキータグを案内するガイドを設けたことを特徴とする請求項１に記載の鍵管理システム。
【請求項３】
複数の前記係止部が、横長の板に一定の間隔で設けられ、
前記係止部の両側における前記板の上縁または下縁を、前記板の背面側に折り返してガイドを形成したことを特徴とする請求項２に記載の鍵管理システム。
【請求項４】
複数の前記係止部が、横長の板に一定の間隔で設けられ、
前記横長の板に、各係止部の位置に合わせた切欠部を有する他の板を重ね合わせ、この切欠部の縁によりガイドを形成したことを特徴とする請求項２に記載の鍵管理システム。
【発明の詳細な説明】
【技術分野】
【０００１】
本発明は、扉の付いた箱内に鍵を収納して管理する鍵管理システムに関する。
【背景技術】
【０００２】
従来、鍵の管理を行う場合、保管専用の箱に鍵をまとめて管理する。鍵を使用する人は、その箱から必要数を取り出す。この時、別の人が同じ鍵を使用したい場合、鍵が持ち出し中の場合は、誰がその鍵を所有しているかがわからず、非常に不便である。これを解決するために、管理内部の鍵を保管する場所にアドレスを決め、鍵１つ１つにもＩＤを持たせ、箱のアドレスと鍵のＩＤとを１対１に対応させることで、鍵の所有の有無を管理できるようにした技術が従来から知られている。さらに、鍵管理箱に扉を設け、この扉を開ける権限として、鍵の使用者一人一人に異なるＩＤを持たせ、そのＩＤによってのみ扉を開錠できるようにした技術もある。これにより、いつ、誰が、どの場所の鍵を持ち出しているのかを管理することができる。このような鍵管理システムとして、特許文献１のようなものが知られている。
【０００３】
特許文献１の発明では、鍵のキータグに番号を付し、鍵毎に異なる番号を持たせる。そして、箱内の保管位置毎に、その番号と同じ番号を付け、キータグがその位置に保管されたら、自動的にキータグに装備されたスイッチなどで鍵の有無を検知するようにする。一方、鍵がその場所から持ち出された場合には、スイッチで鍵が認識されなくなることで、それを認識できる。鍵保管箱を開ける人は、例えば、その人だけが所有する無線タグ、磁気カードなどをリーダーへ読み込ませることにより個人を認識させ、開錠権限確認と持ち出し時刻を自動管理する。或いは、指紋認証、静脈認証、顔認証などの自動識別方式を採用する場合もある。
【０００４】
この鍵の個体を識別するＩＤ、それと箱内の保管位置を対応させる仕組み、そして、持ち出し者を管理するＩＤは、非常に複雑な実現手段が必要となり、実現コストが高くなる課題があった。特に、管理する鍵の本数が増えると、鍵固有のＩＤとその保管場所を対応管理する仕組みの実現手段として、複雑な構造をもった無線タグ、その他のハードウェアを用いた場合、鍵の本数分ハードウェアの数が必要となり、非常にコストに影響される欠点があった。
【０００５】
そこで、この問題を解決するため、出願人は特願2009-160104を発明し提案をした。この発明は、「鍵管理箱のどの位置に鍵が保管されているか」の情報は管理するが、その鍵１つ１つの番号までは、電子情報としては管理しない方式とした。そして、「どの鍵が持ち出されているか」については、その保管位置を鍵固有に管理することにより、鍵個体を区別できるようにした。すなわち、鍵管理箱の鍵を保管する位置に、簡単なスイッチのＯＮ／ＯＦＦにより、鍵の有無だけを判定する機能のみ持たせた。これにより、鍵一つ一つの個体ＩＤは特に区別せず、保管している位置に鍵があるかを、このスイッチのＯＮ／ＯＦＦだけにより識別することで、鍵の個体をも識別管理することができる。一方、鍵を使用する人に関しては、個人毎に異なるＩＤを安価な無線タグカードで識別し、これを無線タグリーダーに読み込ませることで、鍵管理箱の開錠許可を与えるようにする。
【先行技術文献】
【特許文献】
【０００６】
【特許文献１】特開２００５−１３９７８９号公報
【発明の概要】
【発明が解決しようとする課題】
【０００７】
しかしながら、鍵の有無の判定を鍵を保管する位置の簡単なスイッチにより行なう場合、鍵の固有の番号と異なる位置の保管位置に鍵を入れてしまう間違いが発生するリスクが生ずる。すなわち、誤まって鍵固有の番号と異なる番号の位置にキータグを挿入してもスイッチがキータグを検出してしまう。つまり、先願の発明では、間違えた位置に鍵を保管しても、電子情報として鍵固有の番号とその保管位置番号は管理していないため、そのまま保管してしまうという問題点がある。
【０００８】
本発明は、上述した課題を解決するためになされたものであり、その目的は、間違えた位置に鍵を保管することを防止するために、機械的手段によって、鍵固有の番号と異なる番号の位置には、鍵が入らないようにした鍵管理システムを提供することにある。
【課題を解決するための手段】
【０００９】
前記の目的を達成するために、本発明の鍵管理システムは、内部にそれぞれ鍵を収納するための複数の鍵保管部と、各鍵保管部にそれぞれスイッチを設けた鍵保管箱と、前記鍵保管箱に接続され、鍵保管箱の各鍵保管部に設けられた複数のスイッチの情報に基づいて鍵の有無を判定する制御装置を備えることを特徴とする鍵管理システムにおいて、前記鍵保管部に設けたスイッチは、個別に収納位置情報を持つことなくＯＮ／ＯＦＦ接点のみを有し、前記制御装置は、各鍵保管部において同一構造のスイッチから構成し、前記制御装置は、各鍵保管部からのスイッチのＯＮ／ＯＦＦ情報により各鍵保管部における鍵の有無を判別し、前記各鍵保管部には板状の部材からなり前記鍵を引っ掛けることで係止する係止部と、そこに保管する鍵のいずれか一方に突起部を設け、他方に開口部を設け、前記突起部と前記開口部の形状が一致した場合に、前記係止部に前記鍵を保管することを特徴とする。
なお、各係止部と各鍵または鍵のキータグが正確に係合するために、係止部にキータグを案内するガイドを設けたり、このガイドを係止部を設けた係止板の上縁部または下縁部の係止部の両側の部分を、係止板の背面側に折り返して形成したり、横長の係止板に板を重ね合わせることによりガイドを形成したりすることも本発明の一態様である。
【発明の効果】
【００１０】
本発明によれば、鍵管理箱内部の正しい位置に、本来保管すべき固有の鍵が保管されているかを、確実に管理できる。しかも、簡単な構造のキータグを使用して、そのキータグの任意の箇所に穴または突起を１つ設けるだけで、この機能を極めて簡単、安価に実現することができる。また、鍵管理箱側も、突起を具備した引っ掛け金具を用いるだけで、指定位置に特定の鍵だけを誤挿入することなく保管できる構造を簡単、安価に実現できる。更に、可動後でも、この部分の部品を簡単に交換するだけで、増設や交換などの対応が可能となる。
【図面の簡単な説明】
【００１１】
【図１】本発明の実施例１による鍵管理システムの全体の構成を示す配置図
【図２】本発明の実施例１おける鍵保管箱の斜視図
【図３】本発明の実施例１おける鍵保管箱の構成を示す配線図
【図４】本発明の実施例１おける引っ掛け金具の構成を示す図
【図５】本発明の実施例１おけるキータグと引っ掛け金具への装着状態を示す断面図
【図６】本発明の実施例１おける鍵保管箱の内部に設けられた引っ掛け金具にキータグを収納した状態を示す正面図
【図７】本発明の実施例２おける引っ掛け金具の表側を示す斜視図
【図８】本発明の実施例２における引っ掛け金具の裏側を示す斜視図
【図９】本発明の実施例２における引っ掛け金具にキータグを収納した場合の表側から見た斜視図
【図１０】本発明の実施例２における引っ掛け金具にキータグを収納した場合の裏側から見た斜視図
【図１１】本発明の実施例３における引っ掛け金具の表側を示す斜視図
【図１２】本発明の実施例３における引っ掛け金具の裏側を示す斜視図
【図１３】本発明の実施例３における引っ掛け金具にキータグを収納した場合の表側から見た斜視図
【図１４】本発明の実施例３における引っ掛け金具にキータグを収納した場合の裏側から見た斜視図
【図１５】本発明の実施例３における引っ掛け金具の構成の変形例を裏側から見た斜視図
【発明を実施するための形態】
【００１２】
以下、本発明に係る鍵管理システムの実施例を、図面を参照して説明する。各実施例で同一または類似の構成部分には、共通の符号を付し、重複する説明は省略する。また、各実施例では、キータグに鍵を取り付けた態様を示したが、鍵そのものに本発明の開口部（または突起部）を設けても良い。本発明における鍵とは、鍵そのもの又は鍵を取付るタイプのキータグの両方を含む。
【実施例１】
【００１３】
［１−１．システムの構成］
図１は、本発明の実施例１の全体構成を示す図である。１は、内部に複数の鍵を保管するための鍵の保管部６を有する鍵保管箱である。この鍵保管箱１には、内部の鍵の保管部６に設けられたスイッチのＯＮ／ＯＦＦ情報を外部に伝達するためにケーブル３０が接続されている。このケーブル３０としては、ＲＳ２３２Ｃなどの標準シリアル信号インターフェイスケーブルなどを利用することができる。鍵保管箱１には、鍵保管箱１を複数台設置する場合に、鍵保管箱１同士のデータを伝達するための増設用ケーブル３１が接続される。こられの鍵保管箱１には、電力を供給するためにコンセント２が接続されている。
【００１４】
３は、ケーブル３０を介して鍵保管箱１と接続され、鍵の保管部６に設けられたスイッチのＯＮ／ＯＦＦ情報を管理する制御装置である。この保管部に設けられたスイッチのＯＮ／ＯＦＦ情報を管理するために、制御部１としては、一般的なパソコンを利用することができ、その電源としてＡＣアダプタ４が接続される。５は、制御部３に接続された無線タグカードリーダである。この無線タグカードリーダ５は、使用者の持つ無線タグカードに記録されたデータを読み込むものである。無線タグカードリーダ５としては、ＦｅｌｉＣａ（登録商標）などの非接触型ＩＣカードなどを利用することができる。
【００１５】
図２は、本発明の第１実施例における鍵保管箱１の斜視図である。図３は、本発明の実施例１における鍵保管箱１の構成を示す図である。図中６は、鍵保管箱１の内部本体側に設けられた鍵の保管部である。この保管部６は、鍵保管箱内１に収納する複数の鍵の数に合わせて、鍵保管箱１内に複数個設けられている。実施例１では、この保管部６に、鍵またはキーリングを介して鍵と結ばれたキータグ（キーホルダを含む）を引っ掛けることで、各鍵を所定の保管部６に保管することができる。各保管部６の内部には、保管部６に鍵またはキータグを収納することにより、スイッチをＯＮ／ＯＦＦすることができる鍵検出スイッチ７が設けられている。
【００１６】
８は、鍵保管箱１の本体側に設けられたドアスイッチである。ドアスイッチ８は、鍵保管箱１の蓋が開閉することによって、ドアスイッチ８に設けられた突起部分が押され、ＯＮ／ＯＦＦを区別する。９は、鍵保管箱１の蓋側に設けられた電気錠である。
【００１７】
１０は、鍵保管箱１の本体側に設けられる制御基盤である。この制御基盤１０は、鍵保管箱１内の各保管部６の鍵検出スイッチ７及びドアスイッチ８と接続し、各スイッチ７から入力するＯＮ／ＯＦＦ信号をシリアルデータへ変換し、ケーブル３０を介して、その変換データを制御装置３に出力する。また、制御装置３は電気錠９と接続され、その指令に基づいて電気錠９の開閉を行う。
【００１８】
［１−２．保管部の構成］
図４は、本発明の第１の実施例における保管部６を示す正面図である。各保管部６は、横長の板である複数個の引っ掛け金具１１に設けられている。各引っ掛け金具１１には、キータグを引っかける複数の係止部１１ａが設けられ、この係止部１１ａが鍵の保管部６になっている。この係止部１１ａには、それぞれの係止部１１ａごとに位置の違う突起部１１ｂが設けられている。本実施例では、各保管部６は、この係止部１１ａと突起部１１ｂとから構成されている。
【００１９】
図５（ａ）は、保管部６に保管するキータグ１２を示す図である。このキータグ１２には、キー取付部１２ａが設けられている。キータグ１２は、タグ上部の引っ掛け部１２ｂを前記係止部１１ａに引っ掛けることができるように、略Ｕ型形状とする。この引っ掛け部１２ｂには、各キータグ１２ごとに位置の違う開口部１２ｃが設けられている。また、キータグ１２は、キー取付部に孔１２ｄを設け、キーリング１２ｅを介して鍵を取り付けるようにしても良い。
【００２０】
図５（ｂ）は、鍵検出スイッチ７として箱型のマイクロスイッチを利用した保管部６の構成を示す図である。すなわち、１４は保管部６の背面板であり、１５は、背面板１４に設けられた鍵保管箱１内部の制御基盤１０と接続された基盤であり、この基盤１５上に箱型のマイクロスイッチ１６が設置される。このマイクロスイッチ１６は、箱型をしたケースの内部にスイッチの可動及び固定の接点を収納し、可動接点の一部をケース外に突出させたものである。ケース内の可動及び固定の接点に対しては、ケース外部からのリード線をはんだ付けするなどして、ＯＮ／ＯＦＦ信号を外部へ伝達する。なお、１７は保管部６を構成する引っ掛け金具１１にマイクロスイッチ１６を支持するためのステーである。このステー１７は、キータグを引っ掛け金具１１に引っ掛けた場合に、マイクロスイッチ１６がＯＮ状態となるように、マイクロスイッチ１６の設置位置を調整するものである。
【００２１】
［１−３．システムの作用］
このような構成を有する実施例１では、鍵保管箱１から鍵を取り出す場合には、使用者は、自己が所有する無線タグカードを無線タグカードリーダ５へ読み込ませる。無線タグカードリーダ５で読み込んだ無線タグカードのＩＤは制御装置３へ伝達される。制御装置３では、読み込んだＩＤに鍵の持出権限があるか否かのチェックを行い、持出権限がある場合は、鍵保管箱１に対して蓋の開錠指令を出力すると同時に、開錠指令を出力した時間を記録する。開錠指令を入力した鍵保管箱１は、制御基盤１０より電気錠９に対して開錠指令を出力し、電気錠９の鍵を外し、鍵保管箱１の蓋を開く。一方、読み込んだＩＤに持出権限がない場合には、鍵保管箱１に対して蓋の開錠指令を出力しないので、鍵保管箱１の蓋が開くことはない。
【００２２】
鍵保管箱１の蓋が開いたら、使用者は希望する鍵を保管部６から持ち出す。これにより、保管部６からキータグ１２が外れると、鍵検出スイッチ７がＯＦＦ状態となる。この鍵検出スイッチ７のＯＦＦ信号は制御基盤１０に伝送され、制御基盤１０でシリアルデータに変更されると共に、制御装置３へ出力される。この信号に基づき、出力装置３は、どの保管部６の鍵が持ち出されたのかを記録する。
【００２３】
一方、鍵保管箱１に鍵を収納する場合には、鍵保管箱１から鍵を取り出す場合と同様の手順で鍵保管箱１を開く。その後、使用者は鍵が付いたキータグ１２を保管部６へ収納（吊り下げる）する。保管部６に鍵が付いたキータグ１２が収納されると、鍵検出スイッチ７がＯＮ状態となる。この鍵検出スイッチ７のＯＮ信号は制御基盤１０に伝送され、制御基盤１０でシリアルデータに変更されると共に、制御装置３へ出力される。この信号に基づき、出力装置では、保管部６のどの場所の鍵が収納されたかを記録する。
【００２４】
［１−４．保管部の作用］
図４のような構成を有する保管部６の作用を図６に示す。本実施例では、各保管部ごとに係止部１１ｂの位置が異なるため、保管部６の引っ掛け金具１１にキータグを挿入する場合には、正しい保管部６に挿入しないと、引っ掛け金具１１の突起部１１ｂとキータグ１２の開口部１２ａの位置が一致しないために、キータグを挿入することはない。一方、キータグを正しい保管部６に挿入した場合は、突起部１１ｂと開口部１２ａの位置が一致するため、奥まで挿入される。これにより、保管部６の内部に設けたスイッチにより、キータグを検出する。
【００２５】
［１−５．効果］
以上の通り本実施例においては、無線タグカードを利用して持出権限のチェックを行うだけでなく、鍵保管箱１に対して蓋の開錠指令を出力した場合に、開錠指令を出力した時間を記録する。これにより、持出権限のない使用者は鍵保管箱を開けることができないので、セキュリティが保たれる。さらに、持出権限を持つ使用者が複数人する場合でも、どの使用者が何時に扉を開けたのかが明確になるため、利便性の向上を図ることができる。
【００２６】
また、鍵保管箱１を開錠したあと、箱内部から鍵を取り出すと、どの場所に保管されている鍵が持ち出されたかを、管理及び記録することができる。これにより、いつ、誰が、どの鍵を持ち出したのかを管理、記録することができる。
【００２７】
また、無線タグカードとしては、専用のものを用意する必要がなく、ＩＤカードのＩＤデータ部分を使用することができる。そのため、現在普及している電子定期券であるＳｕｉｋａ（登録商標）やＩｋｏｋａ（登録商標）などを使用してよい。これにより、本システムのために、新たにタグカードを作成する必要がない。
【００２８】
また、鍵保管箱の収納スペースでは、鍵一つ一つの識別は行わず、鍵の有無のみを識別しているので、鍵に１つ１つの鍵を認識するためのＩＤタグを埋め込む必要がない。そのため、鍵の管理数量が増加しても、新たに追加した鍵にＩＤタグを埋め込む必要がないため、システム導入に伴う鍵自体のコスト増加をゼロにできる。一方、鍵保管箱１自体も、鍵の有無を検知するための仕組みは、極めて単純なスイッチが１つ具備されていれば、十分であるため、簡易である。さらに、保管管理する鍵の数量が増加した場合は、新たに鍵保管箱１を増設し、鍵保管箱１の内部の制御基板同士を通信ケーブルで接続することにより、鍵管理箱の数量を増加することができる。
【００２９】
さらに、鍵管理箱内部の正しい位置に、本来保管すべき固有の鍵が保管されているかを、自動的に管理できる。しかも、簡単な構造のキータグを使用して、そのキータグの何処に穴を１つだけ開けるかだけで、この機能を極めて簡単、安価に実現することができる。鍵管理箱側も突起を具備した引っ掛け金具を用いるだけで、指定保管部６に特定の鍵だけを誤挿入することなく保管できる構造を簡単、安価に実現できる。更に、装置の可動後もこの部分の部品を簡単に交換するだけで、増設や交換などの対応が可能となる。
【実施例２】
【００３０】
本実施例は、前記実施例１の保管部６の引っ掛け金具１１にキータグが斜めに入らないように、左右にガイドを設けたものである。これにより、キータグを斜めに挿入した場合に間違ったキータグにもかかわらず、キータグを検出してしまうことを防止する。
【００３１】
［２−１．構成］
図７は、本発明の第２の実施例における保管部６の引っ掛け金具１１の表側を示す斜視図であり、図８は、引っ掛け金具１１の裏側を示す斜視図である。図７，８の引っ掛け金具１１は、キータグの厚み分だけ引っ掛け金具１１を構成する金属板の一部を、その背面に折り返してある。この折り返した部分は、キータグを収納する引っ掛け部１１の係止部１１ａの左右に突出したガイド部１１ｃとなる。
【００３２】
［２−２．作用］
このような構成を有する実施例２では、引っ掛け金具１１の一部を背面に折り返してある部分がキータグの左右を案内するガイド１１ｃとなり、キータグを斜めに挿入することを防止する。以下、図９，１０により、実施例２の作用を説明する。
【００３３】
図９は、引っ掛け金具１１にキータグ１２を収納した場合の表側から見た斜視図であり、図１０は、引っ掛け金具１１にキータグ１２を収納した場合の裏側から見た斜視図である。図９，１０では、キータグ１２の左右の縁が引っ掛け金具１１のガイド部１１ｃに案内され、左右にずれることがない。すなわち、引っ掛け金具１１、ガイド部１１ｃ及び保管部６の背面板１４表面とによって四周を囲まれた、キータグの厚み分の隙間の部分に挿入したキータグは垂直（差し込み方向）にガイドされ、傾斜することがない。
【００３４】
その結果、キータグ１２を引っ掛け金具１１に収納する場合、キータグの開口部とタグの突起部が合う場合は、収納スペースに挿入される。一方、キータグの開口部とタグの突起部が合わない場合は、収納スペースに挿入することができない。また、キータグ１２が引っ掛け金具１１のガイドにより、左右にずれないようになっているため、たとえ、決まった保管部６にキータグを斜めに挿入しようとしても、ガイドがあるために、キータグが挿入されることはない。
［２−３．効果］
以上の通り本実施例においては、実施例１の効果に加え、引っ掛け金具１１設けたガイド１１ｃにより、キータグが斜めに入ることが無い。そのため、鍵を確実に正しい場所に収納することができる。
【実施例３】
【００３５】
本実施例は、前記実施例１の保管部６の引っ掛け金具１１の裏側に、キータグの幅に合わせた切欠を有するガイド板１３を重ね合わせたものである。これにより、鍵を正しい場所に確実に収納するものである。
【００３６】
［３−１．構成］
図１１は、本発明の第３の実施例における保管部６の引っ掛け金具１１の表側を示す斜視図であり、図１３は、引っ掛け金具１１の裏側を示す斜視図である。図１２，１３に示すように、引っ掛け金具１１の背面にガイド板１３が固定されている。このガイド板１３には、キータグ１２の引っ掛け部１２ａが挿入される上方開口形の切欠部１３ａが形成され、その左右がガイド部１１ｃになる。
【００３７】
［３−２．作用］
このような構成を有する実施例３では、キータグ１２を係止部１１ａに挿入した場合に、引っ掛け金具１１の背面に重ね合わせたガイド板１３のガイド部１１ｃがキータグを斜めに挿入することを防止する。以下、図１３，１４により、実施例３の作用を説明する。
【００３８】
図１３は、引っ掛け金具１１にキータグ１２を収納した場合の表側から見た斜視図であり、図１４は、引っ掛け金具１１にキータグ１２を収納した場合の裏側から見た斜視図である。図１３，１４に示すように、キータグ１２が引っ掛け金具１１背面のガイド板１３のガイド部１１ｃに案内されるため、その挿入時に左右にずれない。すなわち、引っ掛け金具１１、ガイド板１３及び保管部６の背面板１４表面とによって四周を囲まれた、キータグの厚み分の隙間に挿入したキータグは垂直（差し込み方向）にガイドされ、傾斜することがない。
【００３９】
このような本実施例では、キータグ１２の開口部１２ａと引っ掛け金具１１の突起部ｂが合う場合は、係止部１１ａの奥まで挿入される。一方、キータグの開口部１２ａと突起部１１ｂの位置が合わない場合は、係止部１１ａに挿入することができない。特に、キータグ１２がガイド板１３のガイド部１１ｃにより、左右にずれないようになっているため、たとえ、決まった保管部６にキータグ１２を斜めに挿入しようとしても、ガイド板１３があるために、キータグ１２を斜めに挿入することができない。
【００４０】
［３−３．効果］
以上の通り、本実施例においては、実施例１の効果に加え、キータグの開口部１２ａと突起部１１ｂの位置がずれていると、キータグを係止部１１ａにセットすることができなくなり、誤挿入を確実に防止できる。これにより、引っ掛け金具１１の正しい位置に、本来保管すべき固有の鍵が保管されているかを管理することができる鍵管理システムを、極めて簡単、安価に実現することができる。
【実施例４】
【００４１】
［他の実施例］
前記保管部や各スイッチは前記各実施例で例示した構造に限定するものではなく、その形状は本発明の機能を実現できれば、例えば、下記のようにいかようにも変形できる。
【００４２】
（１）図１５は、本発明の実施例３における保管部６の構成の変形例を示す図である。この変形例では、キータグ１２の引っ掛け部１２ｂに切り溝１２ｆを設けると共に、引っ掛け金具１１の背面のガイド板１３にも突起１３ｂを設ける。この両者が組み合わせることで、キータグ１２は引っ掛け金具１１の正しい位置だけに係止される。これにより、誤挿入を確実に防止することができる。
【００４３】
（２）鍵保管箱６の背面板１４表面に鍵検出スイッチ７を避けて、キータグ１２の挿入部の左右に、キータグの挿入方向に沿った一対の突条部（棒状の突起）を設け、この突起によってキータグの左右をガイドとしてもよい。実施例３のように、一枚のガイド用板１３を貼り付けるのではなく、細い角棒を貼り付けたり、背面板１４をプレス成形したり、背面板１４の一部を切り起こしてレール状にしても良い。また、背面板１４がプラスチックの場合には、一体成型でガイドを形成しても良い。
【００４４】
（３）各実施例では、鍵検出スイッチ７として一般的なマイクロスイッチを例としているが、光センサ、磁気センサ、圧電センサなどのスイッチを利用することもできる。特に、簡単な構造の接点と板バネによるスイッチを利用すると低コストで本発明を実現することができる。
【００４５】
（４）図示の実施例は、キータグ１２に開口部１２ｃを設け、引っ掛け金具１１に突起部１１ｂを設けたが、開口部１２ｃと突起部１１ｂとを逆にしても良い。保管部６と対応する鍵（キータグ）とで、開口部１２ｃと突起部１１ｂとの板を変える代わりに、両者の幅、形状または数などを保管部６と鍵（キータグ）ごとに変更することができる。
【符号の説明】
【００４６】
１…鍵保管箱
２…コンセント
３…制御装置
４…ＡＣアダプタ
５…無線タグカードリーダ
６…保管部
７…鍵検出スイッチ
８…ドアスイッチ
９…電気錠
１０…制御基盤
１１…引っ掛け金具
１１ａ…係止部
１１ｂ…突起部
１１ｃ…ガイド部
１２…キータグ
１２ａ…キー取付部
１２ｂ…引っ掛け部
１２ｃ…開口部
１２ｄ…孔
１２ｆ…切り溝
１３…ガイド板
１３ａ…切片部
１３ｂ…突起部
１４…背面板
１５…基板
１６…マイクロスイッチ
１７…ステー
【図２】
0005584501.tif 000002
【図３】
0005584501.tif 000003
【図４】
0005584501.tif 000004
【図５】
0005584501.tif 000005
【図６】
0005584501.tif 000006
【図７】
0005584501.tif 000007
【図８】
0005584501.tif 000008
【図９】
0005584501.tif 000009
【図１０】
0005584501.tif 000010
【図１１】
0005584501.tif 000011
【図１２】
0005584501.tif 000012
【図１３】
0005584501.tif 000013
【図１４】
0005584501.tif 000014
【図１５】
0005584501.tif 000015
【図１】
0005584501.tif 000016